(57)【要約】  【課題】  アンテナ性能の改善を図ることができる折畳み型携帯無線機器を提供する。  【解決手段】  上筐体１と下筐体２とをヒンジ部３で回動自在に連結するとともに、上筐体１内に設けた第１の回路基板１１と下筐体２内に設けた第２の回路基板２１とを第１接続素子５１を介して接続する折畳み型携帯無線機器において、第１の回路基板１１と第２の回路基板２１とを、リアクタンス素子６を介して第２接続素子５２で導通するように構成した。【選択図】  図１
2005057664.tif 000002
【特許請求の範囲】
【請求項１】
上筐体と下筐体とをヒンジ部で回動自在に連結するとともに、前記上筐体内に設けた第１の回路基板と前記下筐体内に設けた第２の回路基板とを第1の接続素子で接続する折畳み型携帯無線機器において、
前記第１の回路基板と前記第２の回路基板とを、リアクタンス素子を介して第２の接続素子で導通するように構成した折畳み型携帯無線機器。
【請求項２】
前記下筐体の前記ヒンジ部寄りにアンテナ素子を備える請求項１記載の折畳み型携帯無線機器。
【請求項３】
前記リアクタンス素子は、前記筐体が開状態および閉状態のときに、それぞれ前記第１の回路基板と前記第２の回路基板との間のインピーダンスを最適化させる第１および第２のリアクタンス素子で構成するとともに、
前記筐体の開閉状態に応じて、前記第２の接続素子と前記第１、第２のリアクタンス素子との接続状態を切り替える切替え手段を備える請求項１または２記載の折畳み型携帯無線機器。
【請求項４】
前記第１の接続素子または前記第２の接続素子として、フレキシブルケーブルを用いる請求項１ないし３のいずれか１項記載の折畳み型携帯無線機器。
【発明の詳細な説明】
【技術分野】
【０００１】
本発明は、上下２つの筐体を開閉自在に連結させるヒンジ部を備えた折畳み型携帯無線機器に関する。
【背景技術】
【０００２】
近時、携帯電話機が広く普及しているが、この携帯電話機にあっては、ヒンジ部を介して上下２つの筐体部分を開閉自在に連結することができる折畳み型携帯電話機が各種開発されている。また、この折畳み型携帯電話機では、外付け線状アンテナの配置について、上筐体の上部に配置するタイプのものと、上下筐体間を連結するヒンジ部寄りの下筐体に配置するタイプのものとが知られている。
【０００３】
そして、この外付け線状アンテナの特性については、どちらのタイプであっても、上下２つの筐体間をつなぐ電気的な接続部材の影響を微妙に受け、アンテナ性能に劣化をもたらすことが知られている。
【０００４】
そこで、このアンテナ性能の劣化を防止するために、例えば特許文献１には、上下筐体間を接続する接続線を、上筐体に備える回路部と下筐体に備える回路部との間隔よりも長くすることにより、双方の回路部間にインピーダンスを設け、双方の筐体間で振動していた高周波電流の量を損減させる構成のものが記載されている。
【０００５】
また、特許文献２には、上筐体に備える回路と下筐体に備える回路とを接続するフレキシブル配線板の長さを、上筐体からヒンジ部に向かって流れる電流と下筐体からヒンジ部に向かって流れる電流との位相が少なくとも９０°ずれるような長さとして、双方の筐体間を流れる高周波電流の振動を抑えるように構成したものが記載されている。
【０００６】
加えて、特許文献３には、上下筐体間の電気的接続線の中間にインダクタ（コイル）又は実抵抗を挿入し、上下筐体間に高周波電流が流れるのを遮断する構成のものが記載されている。
【特許文献１】特開２００２−２７０６６号公報
【特許文献２】特開２００１−８３２０号公報
【特許文献３】特開９−２７０７２８号公報
【発明の開示】
【発明が解決しようとする課題】
【０００７】
しかしながら、上記した特許文献1に記載のように、接続線を上筐体の回路部と下筐体の回路部との間隔より長くするという従来の構成では、接続線を実際に配置できる長さが限定される点に問題がある。
【０００８】
また、特許文献２に記載のように、接続線長を電流の位相を少なくとも９０°ずらす長さにする構成では、接続線を実際に配置できる長さが限定される点と、接続線同士が重なった場合に相互結合が起こり、アンテナ性能が劣化するという問題がある。
【０００９】
また、特許文献３に記載のように、上下筐体間の電気的接続線の中間にインダクタ又は実抵抗を挿入する構成では、上下筐体間を接続する信号線全てにインダクタ又は実抵抗を挿入する必要があり、携帯端無線機器を製造する上で困難を伴うという問題がある。
【００１０】
しかも、それらの問題に加え、上記した従来の構成のものは、何れも上筐体に流れる高周波電流を遮断するように上下筐体間のインピーダンスを制御するようになっているため上筐体を有効に活用できず、アンテナ性能を改善することが困難である、という問題がある。
【００１１】
本発明は、上記事情に鑑みてなされたもので、上下筐体の間を接続する導体の長さに制限を設けることなく、アンテナ性能の改善を図ることができる折畳み型携帯無線機器を提供することを目的とする。
【課題を解決するための手段】
【００１２】
本発明の折畳み型携帯無線機器は、上筐体と下筐体とをヒンジ部で回動自在に連結するとともに、前記上筐体内に設けた第１の回路基板と前記下筐体内に設けた第２の回路基板とを第1の接続素子で接続する折畳み型携帯無線機器において、
前記第１の回路基板と前記第２の回路基板とを、リアクタンス素子を介して第２の接続素子で導通するように構成したことを特徴としている。
【００１３】
上記構成によれば、リアクタンス素子を用いることで、第１の回路基板と第２の回路基板との間のインピーダンス値を調整することにより、折畳み型携帯無線機での電流分布を制御することができるため、アンテナ性能を改善することが可能となる。
【００１４】
即ち、これは、折畳み型携帯無線機器全体をアンテナとして動作させることで、アンテナとしての実効面積が増大し、以下の式で表されるようにアンテナ利得が向上する為である。
【００１５】
Ｇ＝４π・Ａe／λ2
ここで、Ｇ：アンテナ利得
Ａe：実効面積
λ：波長
しかも、上下の筐体を接続する接続素子の長さを変更させても、リアクタンス素子で電流分布を制御してその場合のアンテナ性能の劣化を補償できるので、従来のような上下筐体の間を接続する導体の長さに制限を設けることが必要なくなり、上筐体の有効活用も図ることができるようになる。
【００１６】
また、本発明の折畳み型携帯無線機器は、前記下筐体の前記ヒンジ部寄りにアンテナ素子を備えることを特徴としている。
上記構成によれば、折畳んだ状態でも開いたときと同様にアンテナ素子の設置方向を上向きの状態に保持できるので、折畳んだ状態で通話や通信の待ち受け状態とする場合でも、良好な通話や通信状態を確保することができる。
【００１７】
また、本発明の折畳み型携帯無線機器は、前記リアクタンス素子が、前記筐体が開状態および閉状態のときに、それぞれ前記第１の回路基板と前記第２の回路基板との間のインピーダンスを最適化させる第１および第２のリアクタンス素子で構成するとともに、
前記筐体の開閉状態に応じて、前記第２の接続素子と前記第１、第２のリアクタンス素子との接続状態を切り替える切替え手段を備えることを特徴としている。
【００１８】
上記構成によれば、折畳み型携帯無線機器の筐体を閉じた状態においても、開いた状態と同様にアンテナ性能を改善することが可能となる。
また、本発明の折畳み型携帯無線機器は、前記第１の接続素子または前記第２の接続素子として、フレキシブルケーブルを用いることを特徴としている。
【００１９】
上記構成によれば、信号線や給電線の接続構造、またはインピーダンスを制御する接続構造の簡略化を図ることが可能となる。
【発明の効果】
【００２０】
本発明によれば、上下筐体間のインピーダンスを制御する接続素子を用いて折畳み型携帯無線機の電流分布を制御し、開いた状態、閉じた状態双方のアンテナ性能を改善できるという効果を有する。
【発明を実施するための最良の形態】
【００２１】
以下、本発明の実施形態について、添付図面を参照しながら説明する。
［第１の実施形態］
第１の実施形態の折畳み型携帯無線機について、図１〜図３を参照しながら説明する。
【００２２】
図１は第１の実施形態に係る折畳み型携帯無線機の正面図を示すものであり、この折畳み型携帯無線機は、図示外の液晶表示部を設けた上筐体（図１において上側に配置）１と、図示外の操作キーを設けた下筐体（図１において下側に配置）２との他に、これら双方の筐体１、２を開閉自在に連結するヒンジ部として折畳み機構３を備えている。
【００２３】
このうち、上筐体１は、例えば厚さ１ｍｍ程度の樹脂で形成されており、縦方向が１００ｍｍ横方向が５０ｍｍの大きさに形成されており、内部に第１の回路基板１１を備えている。第１の回路基板１１は、例えば厚さ１ｍｍのプリント基板で構成されており、その大きさは縦方向が９０ｍｍ横方向が４０ｍｍに形成されている。この第１の回路基板１１上には、図示しないがグランドパターンが形成されている。
【００２４】
一方、下筐体２は、上筐体１と同様に、例えば厚さ１ｍｍ程度の樹脂で構成されており、縦方向が１００ｍｍ、横方向が５０ｍｍの大きさに形成されており、内部に第２の回路基板２１を備えている。第２の回路基板２１は、第１の回路基板１１と同様に、例えば厚さ１ｍｍのプリント基板で構成されており、その大きさも縦方向が９０ｍｍ横方向が４０ｍｍに形成されている。また、この第２の回路基板２１上にもグランドバターンが形成されており、このグランドパターンが後述するアンテナ４に対する接地導体として動作するように構成されている。
【００２５】
前述したように、上筐体１と下筐体２は折畳み機構３で連結された構造となっており、この折畳み機構３を中心として回転することで、上下の筐体１、２の部分が開いた状態と閉じた状態の２つの状態をとり得るようになっている。
【００２６】
アンテナ素子４は、地上セルラー系で使用される８００MHz帯において約１/４波長（λ／４）となる長さの導体を用いた下端給電方式のホイップアンテナで構成されており、具体的には、全長約９０ｍｍに設定されている。また、このアンテナ素子４は、下筐体２においてヒンジ部寄り、つまり第２の回路基板２１の左側上端部に配置されており、例えば直径１ｍｍの導線で形成されている。
【００２７】
また、上筐体１と下筐体２との間には、上筐体１内に設けた前述の第１の回路基板１１側と下筐体２内に設けた第２の回路基板２１側との各回路をつないで設ける信号線や給電線などをまとめて配設する第１接続素子５１が設けてあるが、さらに、本発明では、上下筐体１、２間のインピーダンスを制御することにより、折畳み型携帯無線機での電流分布を制御できるようにするため、第２接続素子５２及びリアクタンス素子(インピーダンス制御手段)６を付設している。
【００２８】
第１接続素子５１は、上筐体１に設けた第１の回路基板１１の右側下端部と下筐体２に設けた第２の回路基板２１の右側上端部とを接続するようになっている。また、本実施形態の第１接続素子５１は、例えば、厚さが０.１ｍｍの導板上に導板と同じ０．１ｍｍ厚の樹脂膜を形成することで、この導板の屈曲強度を各段に向上させたフレキシブルケーブルにより、縦寸法が４５ｍｍ横寸法が５ｍｍの大きさに形成されている。
【００２９】
第２接続素子５２は、上筐体１に設けた第１の回路基板１の右側下端部で、第１接続素子５１からアンテナ素子４側に１ｍｍ程度離れた位置から、リアクタンス素子６を介して下筐体２に設けた第２の回路基板２１に接続されている。また、本実施形態の第２の接続素子５２も、例えば厚さ０.１ｍｍ程度の薄手の導板により、縦寸法が４５ｍｍ、横寸法が１ｍｍの大きさに形成されたフレキシブルケーブルで構成している。
【００３０】
一方、リアクタンス素子６は、上下筐体１、２間のインピーダンスを制御することにより、折畳み型携帯無線機での電流分布を制御できるようにするため、リアクタンス値の可変調整（Open：第２接続素子５２と第２の回路基板２１間を開放とした状態及びShort：第２接続素子５２と第２の回路基板２１間を短絡とした状態を含む。）機能を有する構成となっている。なお、このリアクタンス素子６は、一端側が第２接続素子５２の一端側に接続されているとともに、他端側が第２の回路基板２１側のＧＮＤ（グランド）に接続されている。
【００３１】
次に、図２（Ａ）は、本実施形態に係る折畳み型携帯無線機を開いた状態の自由空間Ｘ−Ｚ面指向性(後述する、パターン平均化利得)について調べたときの実験結果を示している。なお、図２において、図１と同一の符号を付すものは同一の構成および動作を行うものであり、説明を省略する。また、ここで、図２（Ｂ）に示すように、右手系３次元座標において、曲線（グラフ）α１上のＸ方向を本実施形態における折畳み型携帯無線機の正面方向とし、Ｚ方向を天頂方向とする。
【００３２】
ここでは、本実施形態における折畳み型携帯無線機の長手方向（Ｚ方向）成分のみの指向性を示している。これは自由空間でのアンテナ性能は携帯無線機の長手方向成分の性能によりほとんど決定されるためである。また、ここで、第２の接続素子５２を取り除いた状態を「第１の状態」、第２の接続素子５２を備えリアクタンス素子６を可変（最良の状態に調整させた）とした状態を「第２の状態」としてそれぞれ定義する。
【００３３】
図２(Ａ)に示すように、曲線（グラフ）α１は第１の状態におけるＸ−Ｚ面指向性（PAG）、曲線（グラフ）α２は第２の状態におけるＸ−Ｚ面指向性（PAG）、をそれぞれあらわしている。これらの曲線から分かるように、第２の状態の方が第１の状態に比べて高いアンテナ性能を得られる。この図２（Ａ）の場合のPAG（pattern average gain ：パターン平均化利得）は、それぞれ、第１の状態が−７［ｄＢｄ］、第２の状態が−５［ｄＢｄ］となり、第２の状態の方が第１の状態に比べて約２ｄＢ高い。
【００３４】
なお、このPAGは、一平面（ここでは、Ｘ−Ｚ面）の電力指向性を平均化したものであり、その定義式は省略するが、通常、半波長（λ／２）ダイポールアンテナのそれを０［ｄＢｄ］と規定し、アンテナの評価指標として用いられる。
【００３５】
次に、図３は、図1に示す本実施形態に係る折畳み型携帯無線機においてアンテナ素子４の替わりに半波長ダイポールアンテナであるアンテナ素子７を用いた場合の電流分布について調べたときの実験結果を示す。また、図４及び図５は、前述した第１の状態及び第２の状態における電流分布について調べたときの実験結果を示す。即ち、図４では、図１に示す（約１／４波長となる長さの導体を用いたアンテナ素子４を備えた）本実施形態に係る折畳み型携帯無線機において第２の接続素子５２を取り除いた構成のもの、図５では、図１に示す（約１／４波長となる長さの導体を用いたアンテナ素子４を備えた）本実施形態に係る折畳み型携帯無線機において第１、第２の接続素子５１,５２を備えた構成のものを用いている。
【００３６】
また、これら図３から図５に示す電流分布は、それぞれ、半波長ダイポールアンテナ、第１の状態及び第２の状態の約１／４波長となる長さの導体を用いたアンテナ素子について、最大電流値で正規化した分布を示している。なお、図４、図５において、図１のものと同一部分には同一符号を付して説明を省略する。
【００３７】
図３に示す曲線（グラフ）β１は半波長ダイポールアンテナの電流分布を、破線Ｓ１は曲線（グラフ）β１の最大位置を表している。
一方、図４に示す曲線(グラフ)β２は第１の状態における約１／４波長となる長さの導体を用いたアンテナ素子の電流分布を表している。また、破線Ｓ２は曲線（グラフ）β２の最大位置を示している。
【００３８】
他方、曲線（グラフ）β３は約１／４波長となる長さの導体を用いたアンテナ素子の第２の状態における電流分布を表している。また、破線Ｓ３は曲線（グラフ）β３の最大位置を示している。
【００３９】
図３ないし図５のグラフから分かるように、本実施形態に係る折畳み型携帯無線機は、第１の状態に比べ、半波長ダイポールアンテナの電流分布β１に近いことが確認できる。
即ち、第１、第２の接続素子５１、５２を有する本実施形態の折畳み型携帯無線機は、上下筐体１、２間のインピーダンスを最適化することで、図４に示す第２の接続素子５２を取り除いた構成のものとは異なり、図５に示すように上筐体１にも電流を分布させることができ、アンテナの利得を向上させることができる。
【００４０】
なお、アンテナ素子４の形状や構成は本実施形態の説明に限るものではなく、例えばヘリカル構造として携帯無線機の幅にアンテナ素子４を収めることが望ましい。また、このアンテナ素子４は誘電体内に内蔵させてもよい。また、第１及び第２の接続素子５１、５２の形状や接続位置は、第１及び第２の回路基板１１、２１間を接続できる構成であれば本実施形態の構成に限るものではなく、例えばフレキシブルケーブルを用いて、アンテナ近傍の位置に配置してもよく、その場合、本実施形態に比べると改善量は減少するものの同様の効果が得られる。また、第２の接続素子５２に接続されるリアクタンス素子６は、特定の状態に限るものではなく、接続位置又は接続間隔が変化する毎に最適なリアクタンス素子を選択することで同様の効果を得られる。
【００４１】
［第２の実施形態］
第２の実施形態の携帯無線機用アンテナを図６、図７及び図８を用いて説明する。
図６は、第２の実施形態に係る折畳み型携帯無線機の正面図を示すものであり、この折畳み型携帯無線機は、図１に示す第１の実施形態の折畳み型携帯無線機において、スイッチ８及び制御部９を追加した構成となっている。なお、図６において、図１と同一の符号を付すものは同一の構成および動作を行うので、説明を省略する。
【００４２】
スイッチ８は、第１端子８１、第２端子８２、及び第３端子８３を備えたＳＰＤＴスイッチで構成されている。そして、このスイッチ８は、第１端子８１と第２端子８２が短絡されている状態（これを「第３の状態」とよぶ）と、第１端子８１と第３端子８３とが短絡されている状態（これを「第4の状態」とよぶ）のいずれかの状態をとるように構成されている。
【００４３】
なお、第１端子８２は、第１リアクタンス素子６１を介して第２の回路基板２１のＧＮＤ（グランド）に接続されている一方、第３端子８３は、第２リアクタンス素子６２を介して第２の回路基板２１のＧＮＤ（グランド）に接続されている。
【００４４】
制御部９は、本実施形態に係る折畳み型携帯無線機が、開いた状態であるか閉じた状態であるかの判定を行い、スイッチ８を制御することにより第３の状態及び第４の状態のいずれかを選択するようになっている。即ち、この制御部９は、第２の接続素子５２に接続されるリアクタンス素子の切替え動作、つまり第２の接続素子５２と第１リアクタンス素子６１との接続状態（「第３の状態」）、または第２の接続素子５２と第２リアクタンス素子６２との接続状態（「第４の状態」）、のいずれかになるように切替え動作を行う切替え手段を構成している。
【００４５】
ここで、例えば第３の状態を本実施形態における折畳み型携帯無線機が開いた状態、第４の状態を閉じた状態とすると、第３の状態に関しては第１の実施形態と同一の構成要素を示しており、その詳細な説明は省略する。また、その場合のリアクタンス素子６１は開放と設定される。
【００４６】
次に、図７は、本実施形態に係る折畳み型携帯無線機の第４の状態におけるＸ−Ｚ面指向性(前述のパターン平均化利得)について調べたときの実験結果を示している。なお、図７において図１と同一部分には同一符号を付して、説明を省略する。
【００４７】
なお、この図７（Ａ）、（Ｂ）においても、曲線（グラフ）α３上のＸ方向を本実施形態における折畳み型携帯無線機の正面方向とし、Ｚ方向を天頂方向とする。また、この図７（Ａ）は本実施形態の折畳み型携帯無線機の筐体を閉じたときの状態とし、また本実施形態の折畳み型携帯無線機から第２の接続素子５２（図６参照）を取り除いて筐体を閉じときの状態を「第５の状態」として定義する。
【００４８】
図７（Ａ）において、曲線（グラフ）α３は前述した第４の状態、曲線（グラフ）α４は第５の状態をあらわしている。この図７（Ａ）に示すように、第４の状態（グラフα３）の方が第５の状態（グラフα４）に比べ高いアンテナ性能を得られることが分かる。
【００４９】
なお、この図７（Ａ）の場合のＰＡＧ（パターン平均化利得）は、それぞれ、−７.０［ｄＢｄ］、−８.０［ｄＢｄ］となり、第４の状態の方が第５の状態に比べ約１.０［ｄＢ］高い。また、前述したように、第４の状態の場合にはリアクタンス素子６２は短絡状態に設定されている。
【００５０】
次に、本実施形態の折畳み型携帯無線機の筐体を閉じたときの状態（第４の状態）および本実施形態の折畳み型携帯無線機から第２の接続素子５２を取り除いて筐体を閉じときの状態（第５の状態）における電流分布について調べたときの実験結果について、図８から図１１を参照しながら説明する。
【００５１】
初めに、図８及び図９は、いずれも筐体を閉じた折畳み型携帯無線機について、上から眺めた場合における第４の状態（本実施形態）及び第５の状態（比較例）での電流分布を表している。
【００５２】
この図８、９から、本実施形態（第４の状態）での電流分布(γ１)の方が、第２の接続素子５２を取り除いた比較例（第５状態）での電流分布(γ２)に比べて、電流分布が携帯無線機の短手方向について、より幅広く分布していることが確認できる。
【００５３】
一方、図１０および図１１は、図８及び図９と同様に、筐体を閉じた折畳み型携帯無線機について、右側方から眺めた場合における第４の状態（本実施形態）及び第５の状態（比較例）での電流分布を表している。
【００５４】
この図１０、１１から、本実施形態（第４の状態）での電流分布(γ３)の方が、第２の接続素子５２を取り除いた比較例（第５状態）での電流分布(γ４)に比べて、電流分布が携帯無線機の長手方向について、より幅広く分布していることが確認できる。なお、ここで、破線Ｓ４、Ｓ５は、それぞれ曲線（グラフ）γ３、γ４での最大位置を示している。
【００５５】
これら図８から図１１に示すグラフにより、本実施形態の折畳み型携帯無線機を折畳んだ状態（第４の状態）の方が、本実施形態の折畳み型携帯無線機から第２の接続素子５２を取り除いて同様に折畳んだ状態（第５状態）に比べ、電流分布が携帯無線機全体に亙り幅広く分布していることが確認できる。
【００５６】
これにより、本実施形態に係る折畳み型携帯無線機は、切り替え回路（スイッチ８）を用いることで、筐体を開いた状態だけでなく、閉じた状態においてもアンテナの利得を向上させる効果があるとの知見を得ることができた。
【００５７】
なお、開閉によりリアクタンス素子を切り替えるスイッチはＳＰＤＴ（Single Pole Double Throw：単極双投スイッチ）に限るものではなく、例えばＰＩＮ−ＰＤ（Ｐｉｎフォトダイオード）等を用いてもほぼ同等の効果が得られる。また、スイッチ８及び制御部９の配置位置は、第１接続素子５１の近傍でリアクタンス素子６を切り替えることができる構成であれば、特に前述した実施形態の構成に限るものではない。また、第２、第３端子８２、８３に接続される第１、第２リアクタンス素子６１、６２は開放、短絡に限るものではなく、接続位置又は接続間隔が変化する毎に最適なリアクタンス素子を選択することで同様の効果を得られる。
【００５８】
なお、本発明は上述した実施形態に何ら限定されるものではなく、その要旨を逸脱しない範囲において種々の形態で実施し得るものである。
【産業上の利用可能性】
【００５９】
本発明の折畳み型携帯無線機器は、上下筐体間のインピーダンスを制御する第２の接続素子を用いて折畳み型携帯無線機の電流分布を制御し、筐体が開いた状態、閉じた状態双方のアンテナ性能を改善できる効果を有し、特にアンテナが開閉構造（連結）部近辺に配置された折畳み型機構を有する携帯無線機器等に有用である。
【図面の簡単な説明】
【００６０】
【図１】本発明の第１の実施形態に係る折畳み型携帯無線機を示す正面図
【図２】（Ａ）は第１の実施形態におけるアンテナのＸ−Ｚ面指向性を表すグラフ  （Ｂ）は第１の実施形態の折畳み型携帯無線機における３次元方向を示す説明図
【図３】半波長ダイポールアンテナにおける電流分布を示すグラフ
【図４】第１の実施形態の折畳み型携帯無線機を開いた状態（第１の状態）における電流分布を示したグラフ
【図５】第１の実施形態の折畳み型携帯無線機から第２の接続素子を取り除いて筐体を開いた状態（第２の状態）における電流分布を示すグラフ
【図６】本発明の第２の実施形態に係る折畳み型携帯無線機を示す正面図
【図７】（Ａ）は本発明の第２の実施形態におけるアンテナのＸ−Ｚ面指向性を表すグラフ  （Ｂ）は第２の実施形態の折畳み型携帯無線機における３次元方向を示す説明図
【図８】本発明の第２の実施形態に係る折畳み型携帯無線機を折畳んだ状態（第４状態）にして上方向から眺めたときの電流分布を示すグラフ
【図９】本発明の第２の実施形態に係る折畳み型携帯無線機から第２の接続素子を取り除いた筐体を折畳んだ状態（第５状態）にして上方向から眺めたときの電流分布を示すグラフ
【図１０】本発明の第２の実施形態に係る折畳み型携帯無線機を折畳んだ状態（第４状態）にして右側面方向から眺めたときの電流分布を示すグラフ
【図１１】本発明の第２の実施形態に係る折畳み型携帯無線機から第２の接続素子を取り除いた筐体を折畳んだ状態（第５状態）にして右側面方向から眺めたときの電流分布を示すグラフ
【符号の説明】
【００６１】
１  上筐体
１１  第１の回路基板
２  下筐体
２１  第２の回路基板
３  折畳み機構（ヒンジ部）
４  アンテナ素子
５１  第１接続素子（導通手段）
５２  第２接続素子（接続素子）
６  リアクタンス素子(インピーダンス制御手段)
６１  第１リアクタンス素子
６２  第２リアクタンス素子
７  半波長ダイポールアンテナ
８  スイッチ
８１  第１端子
８２  第２端子
８３  第３端子
９  制御部（切替え手段）
α１  第１状態でのＸ−Ｚ面指向性
α２  第２状態でのＸ−Ｚ面指向性
α３  第４状態でのＸ−Ｚ面指向性
α４  第５状態でのＸ−Ｚ面指向性
β１  半波長ダイポールアンテナの電流分布
β２  第１状態での電流分布
β３  第２状態での電流分布
γ１  第４状態での第１の電流分布
γ２  第５状態での第１の電流分布
γ３  第４状態での第２の電流分布
γ４  第５状態での第２の電流分布
Ｓ２  第１状態での電流分布最大位置を示す破線
Ｓ３  第１状態での電流分布最大位置を示す破線
Ｓ４  第４状態での電流分布最大位置を示す破線
Ｓ５  第５状態での電流分布最大位置を示す破線
【図１】
2005057664.tif 000003
【図２】
2005057664.tif 000004
【図３】
2005057664.tif 000005
【図４】
2005057664.tif 000006
【図５】
2005057664.tif 000007
【図６】
2005057664.tif 000008
【図７】
2005057664.tif 000009
【図８】
2005057664.tif 000010
【図９】
2005057664.tif 000011
【図１０】
2005057664.tif 000012
【図１１】
2005057664.tif 000013